(57)【要約】【課題】地区音響装置から出力される鳴動パターンを種々変化させことによって、火災発生場所や火災の進展状況の情報を含ませた鳴動を行って、火災発生対処の遅れを防止し、安全に避難することを促すことができる自火報受信機を提供する。【解決手段】火災感知器Ｓ及び火災発信機Ｈを接続した監視回線Ｌｓ及びＬ０を監視対象として、かつ地区音響装置Ｂを接続した地区音響制御回線Ｌｂを制御対象として、少なくともこれらを備えた自火報受信機１において、監視回線Ｌｓ及びＬ０からの火災発報を判別処理して、予め対応付けた地区音響制御回線Ｌｂに鳴動制御信号を出力する火災受信制御部２と、上記監視回線Ｌｓ及びＬ０に対応させて、地区音響装置Ｂに出力すべき地区音響鳴動パターンを予め記憶した地区音響パターン設定部３とを備えたことを特徴とする。【選択図】図１
2004295242.tif 000002
【特許請求の範囲】
【請求項１】
火災発信機、火災感知器を接続した監視回線を監視対象として、かつ地区音響装置を接続した地区音響制御回線を制御対象として、少なくともこれらを備えた自火報受信機において、
監視回線からの火災発報を判別処理して、予め対応付けた地区音響制御回線に鳴動制御信号を出力する火災受信制御部と、
上記監視回線に対応させて、地区音響装置に出力すべき鳴動制御信号に応じた地区音響鳴動パターンを予め記憶した地区音響パターン設定部とを備えたことを特徴とする自火報受信機。
【請求項２】
請求項１において、
上記火災受信制御部は、予め準備された火災判別プログラムを実行することで火災の進展状況を判別し、その結果として上記地区音響鳴動パターンを異ならせて出力することを特徴とする自火報受信機。
【請求項３】
請求項１において、
上記火災受信制御部は、上記監視回線が割り付けられて特定されている監視エリアについて、上記地区音響鳴動パターンを異ならせて出力することを特徴とする自火報受信機。
【請求項４】
請求項１〜３のいずれかにおいて、
上記地区音響パターン設定部は、異なる地区音響鳴動パターンを、上記監視回線が割り当てられている監視エリアを特定して設定することを特徴とする自火報受信機。
【請求項５】
請求項１〜３のいずれかにおいて、
上記地区音響パターン設定部は、予め準備された複数の地区音響鳴動パターンを、火災の進展状況に応じて組み合わせて設定するための設定操作部を更に備えていることを特徴とする自火報受信機。
【請求項６】
請求項１〜５のいずれかにおいて、
上記地区音響パターン設定部に記憶させる地区音響鳴動パターンは、連続鳴動または、間欠鳴動、もしくはそれらの組み合わせであることを特徴とする自火報受信機。
【発明の詳細な説明】
【０００１】
【発明の属する技術分野】
本発明は、火災報知を行う地区音響装置の鳴動音を可変制御する自火報受信機の改良に関する。
【０００２】
【従来の技術】
この種の自火報受信機は、従来よりビルやマンション等の管理室等に備え付けられており、火災の発生時には火災感知器もしくは火災発信機からの発報信号を受信し、地区音響装置を連続鳴動させて、住人等に火災発生を報知し避難を促すものである。
【０００３】
図４に、従来の自火報受信機の回路構成の一例を示す。この自火報受信機１００は、少なくとも監視回線Ｌｓ１…Ｌｓｎ及びＬ０を介して火災感知器Ｓ１…Ｓｎ及び火災発信機Ｈ０が接続され、また地区音響制御回線Ｌｂ１…Ｌｂｎを介して地区音響装置Ｂ１…Ｂｎが接続されている。この自火報受信機１００は、少なくとも各回路を制御する火災受信制御部１１０と、火災感知器Ｓ１…Ｓｎ及び火災発信機Ｈ０からの発報信号を受信する火災受信回路１１２と、地区音響装置Ｂ１…Ｂｎを鳴動させる地区音響駆動回路１１１とを備えている。火災感知器Ｓ１…Ｓｎは、熱や煙等を感知すると発報信号を発報し、火災発信機Ｈ０は、人が火災を発見した時に、火災発信機Ｈ０の押釦を押圧操作すると発報信号を発報する。この発報信号を火災受信回路１１２が受信し、火災受信制御部１１０が制御して地区音響駆動回路１１１を駆動させ、地区音響装置Ｂ１…Ｂｎが鳴動する構成となっている。ここでの鳴動は一様な連続鳴動であるため、住人等は「どこかで火災が起きたらしい。」という情報しか地区音響装置Ｂ１…Ｂｎの鳴動からは知りえなかった。
【０００４】
従来の自火報受信機の中には、上述のように全区域一斉に地区音響装置を連続鳴動させたのでは、住人等の心理的動揺を誘うため、その動揺を少なくすることや電力消費を削減させるねらいから、地区音響装置の鳴動を制御するようにしたものが提案されている（特許文献１参照）。
【０００５】
【特許文献１】
特開昭６４−３５６９３号公報
【０００６】
【発明が解決しようとする課題】
しかしながら、上記のような構成では、地区鳴動装置の断続鳴動を同じ鳴動パターンで順次行わせているというだけであって、住人等の動揺を多少やわらげることはあったとしても、依然として住人等は地区音響装置の鳴動から「どこかで火災が起きたらしい。」という情報しか知りえないという状況に変わりはなかった。すなわち、従来の地区音響装置の鳴動からは、火災発生場所や火災の進展状況についての情報までを報知できないため、住人等はそのような情報を知らないまま避難しなければならず、安全面心理面ともに最善の形とはいえなかった。また、管理者等も火災が起こったかもしれない現場まで、確認しにいく間にも事態は刻々と変わっていくこともあるため、火災の進展状況を知らず現場確認にいくという危険をはらんでいた。
【０００７】
そこで本発明は、このような問題を解決しようとするもので、火災感知器、火災発信機からの発報信号に応じて地区音響装置は予め設定された鳴動パターンを行い、操作内容、時間経過に応じてその鳴動パターンを変化させ、火災発生場所や火災の進展状況の情報を含ませた鳴動を行うことにより、火災発生対処の遅れを防止し、安全に避難することを促すことができる自火報受信機を提供することを目的とする。
【０００８】
【課題を解決するための手段】
請求項１に記載の自火報受信機は、火災発信機、火災感知器を接続した監視回線を監視対象として、かつ地区音響装置を接続した地区音響制御回線を制御対象として、少なくともこれらを備えた自火報受信機において、監視回線からの火災発報を判別処理して、予め対応付けた地区音響制御回線に鳴動制御信号を出力する火災受信制御部と、上記監視回線に対応させて、地区音響装置に出力すべき地区音響鳴動パターンを予め記憶した地区音響パターン設定部とを備えたことを特徴とする。
これによれば、地区音響鳴動パターンを変化させることにより、鳴動パターンを識別して火災発生場所や火災の進展状況を認識できる。
【０００９】
請求項２に記載の自火報受信機は、請求項１において、上記火災受信制御部は、予め準備された火災判別プログラムを実行することで火災の進展状況を判別し、その結果として上記地区音響鳴動パターンを異ならせて出力することを特徴とする。
これによれば、地区音響鳴動パターンの変動によって、火災の進展状況を把握できる。
【００１０】
請求項３に記載の自火報受信機は、請求項１において、上記火災受信制御部は、上記監視回線が割り付けられて特定されている監視エリアについて、上記地区音響鳴動パターンを異ならせて出力することを特徴とする。
これによれば、監視回線毎ではなく、複数の監視回線をまとめた監視エリア単位で火災発報も識別できる。
【００１１】
請求項４に記載の自火報受信機は、請求項１〜３のいずれかにおいて、上記地区音響パターン設定部は、異なる地区音響鳴動パターンを、上記監視回線が割り当てられている監視エリアを特定して設定することを特徴とする。
これによれば、上記監視エリアの特定をユーザ側で変更設定できる。
【００１２】
請求項５に記載の自火報受信機は、請求項１〜３のいずれかにおいて、上記地区音響パターン設定部は、予め準備された複数の地区音響鳴動パターンを、火災の進展状況に応じて組み合わせて設定するための設定操作部を更に備えていることを特徴とする。
これによれば、地区音響鳴動パターンをユーザ側で変更設定できる。
【００１３】
請求項６に記載の自火報受信機は、請求項１〜５のいずれかにおいて、上記地区音響パターン設定部に記憶させる地区音響鳴動パターンは、連続鳴動または、間欠鳴動、もしくはそれらの組み合わせであることを特徴とする。
【００１４】
【発明の実施の形態】
以下、添付図を参照しつつ、本発明の実施の形態について説明する。
【００１５】
図１は、本発明の自火報受信機１の回路構成の一例を示したブロック図である。この自火報受信機１には、少なくとも監視回線Ｌｓ１…Ｌｓｎ及びＬ０を介して火災感知器Ｓ１…Ｓｎ及び火災発信機Ｈ０が接続され、また地区音響制御回線Ｌｂ１…Ｌｂｎを介して地区音響装置Ｂ１…Ｂｎが接続されており、火災感知器Ｓ１…Ｓｎ及び火災発信機Ｈ０を接続した監視回線Ｌｓ１…Ｌｓｎ及びＬ０が監視対象とされ、かつ地区音響装置Ｂ１…Ｂｎを接続した地区音響制御回線Ｌｂ１…Ｌｂｎを制御対象として備えている。
また、この自火報受信機１は、火災感知器Ｓ１…Ｓｎ及び火災発信機Ｈ０からの火災発報を判別処理して、予め対応付けた地区音響制御回線Ｌｂ１…Ｌｂｎに鳴動制御信号を出力する火災受信制御部２と、上記監視回線Ｌｓ１…Ｌｓｎ及びＬ０に対応させて、地区音響装置Ｂ１…Ｂｎに出力すべき地区音響鳴動パターンを予め記憶した地区音響パターン設定部３と、火災感知器Ｓ１…Ｓｎ及び火災発信機Ｈ０の発報信号に応じて各タイマ（タイマＡ４ａ、タイマＢ４ｂ）を制御するタイマ制御回路４とを備えている。
【００１６】
ここに、火災受信制御部２は、ＣＰＵを備え、火災判別処理、地区音響装置Ｂ１…Ｂｎの鳴動制御、地区音響鳴動パターンの制御等を行う。
火災判別処理では、火災感知器Ｓ１…Ｓｎ及び火災発信機Ｈ０の発報に基づいて火災判別を行い、地区音響装置Ｂ１…Ｂｎの鳴動制御は、火災発報した監視回線Ｌｓ１…Ｌｓｎ及びＬ０に応じて鳴動する。また、地区音響鳴動パターンの制御では、地区音響鳴動パターン設定部３の設定に基づき、監視回線Ｌｓ１…Ｌｓｎ及びＬ０の発報状況やその発報状況に応じて連動されているタイマＡ４ａやタイマＢ４ｂの状況に応じて鳴動制御信号を選択的に出力させる。
タイマ制御回路４は、少なくともタイマＡ４ａとタイマＢ４ｂとを備えている。タイマＡ４ａは、火災感知器Ｓ１…Ｓｎが熱や煙等によって発報すると起動し一定時間を計時する。一方タイマＢ４ｂは、火災感知器Ｓ１…Ｓｎが２度発報するか、別の火災感知器Ｓ１…Ｓｎが発報するか、または火災発信機Ｈ０が発報すると起動し一定時間を計時する構成となっている。また、図１でタイマ制御回路４は、火災受信制御部２と別に構成されているが、上記火災受信制御部２のＣＰＵのソフト処理として代替されてもよい。
このような火災受信制御部２は、予め準備された火災判別プログラムを実行することで火災の進展状況を判別し、その結果として地区音響鳴動パターンを異ならせて出力することが出来る。
【００１７】
図２は、火災判別プログラムの動作の一例をフローチャート（ステップ１０〜２５）を示しており、火災判別プログラムは、発報方式や鳴動時間に応じて制御動作する構成となっている。
基本動作を説明すると、火災感知器Ｓ１…Ｓｎが熱や煙等によって発報した（ステップ１１）場合はまずタイマＡを起動させ（ステップ１３）、地区鳴動パターンａを鳴動させる（ステップ１４）。この鳴動中にリセット操作があれば（ステップ１５）、タイマＡがリセットされ（ステップ２２）、地区鳴動パターンａも停止される（ステップ２３）。一方、地区鳴動パターンａがリセットされずに（ステップ１５）、タイマＡがタイムアップすると地区音響鳴動パターンｂが鳴動する（ステップ１８）。次に火災感知器Ｓ１…Ｓｎが２度発報するか（ステップ１２）、別の火災感知器Ｓ１…Ｓｎが発報するか（ステップ１２）、または火災発信機Ｈ０が発報した（ステップ１０）場合は、タイマＢを起動させ（ステップ１７）、地区鳴動パターンｂを鳴動させる（ステップ１８）。このときも、もちろん鳴動途中でリセット操作があれば、タイマＢがリセットされ（ステップ２４）、地区鳴動パターンｂは停止される（ステップ２５）。しかし、地区音響鳴動パターンｂがリセットされずに（ステップ１９）タイマＢがタイムアップする（ステップ２０）と、地区音響パターンｃが鳴動する（ステップ２１）。
このように発報方式や鳴動時間に応じて地区音響鳴動パターンを異ならせて出力させることで、火災の進展状況やおおまかな火災の発生場所を鳴動パターンから把握することができる。
【００１８】
火災受信制御部２では、上述のように火災の進展状況を判別する火災判別プログラムを実行するほかに、監視回線Ｌｓ１…Ｌｓｎ及びＬ０が割り付けられて特定されている監視エリアについて、地区音響鳴動パターンを異ならせて出力させることができる。
したがって、このような方法では、監視回線Ｌｓ１…Ｌｓｎ及びＬ０毎ではなく、複数の監視回線Ｌｓ１…Ｌｓｎ及びＬ０をまとめて監視エリア毎に火災発報も識別できるので、ビルやマンション等であれば、各階ごとに鳴動パターンを識別して設定することができる。
【００１９】
本発明の地区音響パターン設定部３は、異なる地区音響鳴動パターンを監視回線Ｌｓ１…Ｌｓｎ及びＬ０が割り当てられている監視エリアを特定して設定することができる。つまり、監視エリアの特定をユーザ側で変更設定することができる。
【００２０】
また、この地区音響パターン設定部３は、予め準備された複数の地区音響鳴動パターンを、火災の進展状況に応じて組み合わせて設定するための鳴動パターン設定操作部３ｂを更に備えている。従って、地区音響鳴動パターンをユーザ側で変更設定できる。ここに地区音響パターン設定部３に記憶させる地区音響鳴動パターンは、連続鳴動または、間欠鳴動、もしくはそれらの組み合わせが採用され、鳴動パターン記憶部３ａに記憶させる。この鳴動パターンはこのように鳴動パターンを異ならせる構成に限定されず、火災の進展状況に応じてだんだんと音量を上げていくといったような音量に強弱をもたせる構成としてもよい。
【００２１】
図３は、地区音響鳴動パターンの具体例をタイムチャートで示している。ここに示す鳴動パターンの一例はビルやマンション等の２階で火災が発生したことを想定した例である。
【００２２】
図３（ａ）は、鳴動パターンａとして、火災感知器Ｓ１…Ｓｎが熱や煙等によって発報した場合に鳴動するパターンを示す。これは、図２でいうとステップ１０から１４に相当する。鳴動パターンａの段階では、火災感知器Ｓ１…Ｓｎのノイズ等による誤動作である可能性もある。そこで図３の（ａ）では等間隔で鳴動を休止させる間欠鳴動のパターンを図示している。したがって、鳴動パターンａが鳴動した場合は、誤動作の可能性もあるが、どこかで火災が発生したかもしれないという認識をもつことができる。なお、鳴動パターンａは、タイマＡ４ａと連動して制御されるものである。
【００２３】
図３（ｂ）は、鳴動パターンｂとして、火災感知器Ｓ１…Ｓｎが２度発報するか、別の火災感知器Ｓ１…Ｓｎが発報するか、または火災発信機Ｈ０が発報した場合に、鳴動するパターンを示す。鳴動パターンｂの段階になると、火災発生が確定し、避難を要する。そこで、図３の（ｂ）では連続鳴動と間欠鳴動の組み合わせた鳴動パターンを図示している。これは、図２でいうとステップ１０、１２、１７、１８の相当する。本具体例においては、ビルやマンション等の２階から発生した場合であるので、一定時間の連続鳴動し休止した後、２回の間欠鳴動で２階で火災が発生したことを知らせ、その後また一定時間連続鳴動する・・・というパターンを繰り返す。従って、鳴動パターンｂが鳴動した場合は、火災が２階で発生したという認識をもって避難、もしくは管理者等であれば現場確認することができる。なお、鳴動パターンｂは、タイマＢ４ｂと連動して制御されるものである。
【００２４】
図３（ｃ）は、鳴動パターンｃとして、地区音響鳴動パターンｂがリセットされずにタイマＢがタイムアップした場合の鳴動パターンを示す。鳴動パターンｃの段階になると、火災が拡大し、緊急避難を要する。図３の（ｃ）では、連続鳴動する鳴動パターンを図示している。これは、図２でいうとステップ２０、２１に相当する。従って、鳴動パターンｃが鳴動した場合は、２階で発生した火災が拡大しているので、緊急避難を要するというを認識をもって避難することができる。
【００２５】
【発明の効果】
請求項１、２に記載の自火報受信機によれば、地区音響鳴動パターンを制御することにより、その鳴動パターンから火災発生場所や火災の進展状況を認識することができる。従って、これらの情報を認識して住人等は避難することができ、また管理者等は現場確認や避難誘導等することができる。
【００２６】
請求項３に記載の自火報受信機によれば、監視回線毎ではなく、複数の監視回線をまとめた監視エリアの火災発報も識別ができる。
【００２７】
請求項４に記載の自火報受信機によれば、監視エリアの特定をユーザ側で変更設定ができる。
【００２８】
請求項５に記載の自火報受信機によれば、地区音響鳴動パターンをユーザ側で変更設定ができる。
【００２９】
請求項６に記載の自火報受信機によれば、地区音響鳴動パターンは、種々のパターンで構成されているため、鳴動パターンのそれぞれに情報をもたせることができる。
【図面の簡単な説明】
【図１】本発明における自火報受信機の回路構成のブロック図の一例
【図２】本発明における地区音響鳴動パターンを変動させるプログラムのフローチャートの一例
【図３】本発明における地区鳴動パターンのタイムチャートの一例
【図４】従来の自火報受信機の回路構成の一例
【符号の説明】
１    自火報受信機
２    火災受信制御部
３    地区音響鳴動パターン設定部
３ａ  鳴動パターン記憶部
３ｂ  鳴動パターン設定操作部
４    タイマ制御回路
４ａ  タイマＡ
４ｂ  タイマＢ
Ｂ１…Ｂｎ            地区音響装置
Ｌｂ１…Ｌｂｎ        地区音響制御回線
Ｓ１…Ｓｎ            火災感知器
Ｈ０                  火災発信機
Ｌｓ１…Ｌｓｎ、Ｌ０  監視回線
【図１】
2004295242.tif 000003
【図２】
2004295242.tif 000004
【図３】
2004295242.tif 000005
【図４】
2004295242.tif 000006